(57)【要約】外科手術中に使用するための吸引ワンドであって、外科手術は、骨破片をもたらす骨の切削を伴い、ワンドは、吸引導管と、吸引先端と、骨破片を保持するためのフィルタスクリーンと、ガスを吸引先端に流動させ、フィルタスクリーンから破片を排出するための二酸化炭素ガス導管とを備えている。一実施形態において、吸引ワンドは、吸引導管の内部の中を延在するＣＯ２ガス導管延長部を備え、ＣＯ２ガス導管延長部は、ＣＯ２ガスを、直接前記吸引先端に移動させる。
2013509955.tif 000002
【特許請求の範囲】
【請求項１】
骨破片をもたらす骨の切削を伴う外科手術中に、手術部位の吸引において使用するための吸引ワンドであって、
ハンドルと、
少なくとも部分的に前記ハンドルに配置された吸引導管であって、部分的に吸引経路を画定する吸引導管と、
前記吸引導管の端部における吸引先端であって、前記吸引経路は、前記吸引先端から前記ハンドルを通って延在し、前記吸引導管は、前記吸引先端から遠隔の前記吸引経路の真空源端において真空源と連通するように適合されている、吸引先端と、
骨破片を保持するためのフィルタスクリーンであって、前記フィルタスクリーンは、前記吸引経路において配置され、先端方向に面する第１の側と、真空源方向に面する反対の第２の側とを有する、フィルタスクリーンと、
ガス源と流体連通するように適合されたＣＯ２ガス導管であって、少なくとも部分的に前記ハンドルに配置され、部分的にＣＯ２経路を画定し、前記ＣＯ２ガス導管は、ＣＯ２ガス主要導管区分を含み、ＣＯ２ガスは、前記ＣＯ２ガス主要導管区分を流動し、前記先端に向かう方向に前記吸引導管の中へ移動され、その結果、前記ＣＯ２ガスが、前記真空方向に面する前記第２の側から前記先端方向に、前記先端方向に面する前記フィルタスクリーンの前記第１の側の外へ、前記フィルタスクリーンを通過することにより、前記フィルタの第１の側から破片を排出する、ＣＯ２ガス導管と、
ＣＯ２ガスが、前記ＣＯ２ガス導管を通り、前記吸引先端に向かって前記吸引導管の中へ流動する開放位置と、ＣＯ２ガスが、前記吸引導管の中へ流動しない閉鎖位置との間で動作可能なＣＯ２ガス導管弁と
を備える、吸引ワンド。
【請求項２】
前記吸引導管の内部の中を延在するＣＯ２ガス導管延長部を備え、前記ＣＯ２ス導管延長部は、ＣＯ２ガスを、直接前記吸引先端に移動させる、請求項１に記載の吸引ワンド。
【請求項３】
前記ＣＯ２ガス導管延長部は、前記ＣＯ２ガス主要導管区分の内径より小さい内径を有する、請求項２に記載の吸引ワンド。
【請求項４】
前記吸引導管の中心軸は、前記ＣＯ２ガス導管延長部の中心軸と一致する、請求項２に記載の吸引ワンド。
【請求項５】
前記ＣＯ２ガス導管延長部の内径は、約１／１６インチから約１／８インチである、請求項３に記載の吸引ワンド。
【請求項６】
前記ＣＯ２ガス導管延長部の内径は、約３／３２インチである、請求項３に記載の吸引ワンド。
【請求項７】
前記ＣＯ２ガス導管延長部は、前記フィルタスクリーンから約１／４から約３／４離間された先端で終端する、請求項２に記載の吸引ワンド。
【請求項８】
前記フィルタスクリーンは、前記吸引導管の中にある、請求項１に記載の吸引ワンド。
【請求項９】
前記フィルタスクリーンは、前記吸引先端にある、請求項７に記載の吸引ワンド。
【請求項１０】
前記フィルタスクリーンは、ワイヤメッシュを備え、前記ワイヤメッシュは、一式の平行水平ワイヤと、前記水平ワイヤと織られた一式の平行垂直ワイヤとを含むことによって前記ワイヤの間に間隙を形成し、前記間隙は、前記ワンドが吸引モードにある場合に、前記スクリーン上に破片を保持し、前記ワンドがＣＯ２圧力モードにある場合に、強風のＣＯ２を前記保持された破片に衝突させ、前記破片を前記スクリーンから排出するように定寸および配置されている、請求項１に記載の吸引ワンド。
【請求項１１】
前記水平および垂直ワイヤは両方とも、約０．０１０インチから約０．０２インチの断面直径を有する、請求項８に記載の吸引ワンド。
【請求項１２】
前記間隙は、前記フィルタスクリーンの総表面積の約４９％から約５４％を占める、請求項８に記載の吸引ワンド。
【請求項１３】
前記ＣＯ２ガス導管延長部は、少なくとも、前記吸引先端から前記ハンドルに戻るまでの区画において、前記吸引導管の中心軸と平行である、中心軸を有する、請求項２に記載の吸引ワンド。
【請求項１４】
前記ＣＯ２ガス導管延長部は、少なくとも、前記吸引先端から前記ハンドルに戻るまでの区画において、前記吸引導管の中心軸と一致する中心軸を有する、請求項２に記載の吸引ワンド。
【請求項１５】
前記ＣＯ２ガス導管弁は、ボール弁である、請求項１に記載の吸引ワンド。
【請求項１６】
前記ＣＯ２ガス導管弁と一体の吸引導管弁をさらに備え、前記ＣＯ２ガス導管弁がその開放位置にある場合に、前記吸引導管弁は、閉鎖位置にあり、前記ＣＯ２ガス導管弁がその閉鎖位置にある場合に、前記吸引導管弁は、開放位置にある、請求項１に記載の吸引ワンド。
【請求項１７】
前記ＣＯ２導管が前記ガス源に接続された場合に、前記ＣＯ２導管は、前記吸引先端において、約５０ｐｓｉのガス圧力を生成するように構成されている、請求項１に記載の吸引ワンド。
【請求項１８】
前記ＣＯ２ガス導管と前記吸引導管との間に恒久的Ｙ接合部を備え、前記フィルタの第１の側から破片を排出するために、前記先端に向かう方向に前記吸引導管の中へＣＯ２ガスを移動させる、請求項１に記載の吸引ワンド。
【請求項１９】
骨破片をもたらす整形外科手術中に、手術部位の吸引において使用するための吸引ワンドであって、
ハンドルと、
少なくとも部分的に前記ハンドルに配置された吸引導管であって、部分的に吸引経路を画定する吸引導管と、
前記吸引導管の端部における吸引先端であって、前記吸引経路は、前記吸引先端から遠隔の前記吸引経路の真空源端部において真空源と連通するように適合され、前記吸引経路は、前記吸引先端から前記吸引導管を通って前記真空源まで延在する、吸引先端と、
ガス源と流体連通するように適合されたＣＯ２ガス導管であって、少なくとも部分的に前記ハンドルに配置され、部分的にＣＯ２経路を画定するＣＯ２ガス導管と、
ＣＯ２ガスが、前記ガス源から前記ＣＯ２導管を通り、前記吸引先端から出るように流動する開放位置と、ＣＯ２ガスが、前記吸引先端から流出しない閉鎖位置との間で動作可能なＣＯ２ガス導管弁と、
手術中に生成される骨破片を保持するために、前記吸引経路に配置されたフィルタスクリーンであって、前記フィルタスクリーンは、ワイヤメッシュを備え、前記ワイヤメッシュは、一式の平行水平ワイヤと、前記水平ワイヤと織られた一式の平行垂直ワイヤとを含むことによって前記ワイヤの間の間隙を形成し、前記間隙は、前記ワンドが吸引モードにある場合に、前記スクリーン上に骨破片を保持し、前記ワンドがＣＯ２圧力モードにある場合に、強風のＣＯ２を前記保持された破片に衝突させ、前記破片を前記スクリーンから排出するように定寸および配置されている、フィルタスクリーンと
を備える、吸引ワンド。
【請求項２０】
前記フィルタスクリーンは、前記吸引先端にある、請求項１９に記載の吸引ワンド。
【請求項２１】
前記間隙は、前記フィルタスクリーンの総表面積の約４９％から約５４％を占める、請求項１９に記載の吸引ワンド。
【請求項２２】
前記フィルタスクリーンは、平方インチあたり約１２から約３０の間隙を備える、請求項１９に記載の吸引ワンド。
【請求項２３】
前記水平および垂直ワイヤは両方とも、約０．０１０インチから約０．０２インチの断面直径を有する、請求項１９に記載の吸引ワンド。
【請求項２４】
骨破片をもたらす骨の切削を伴う外科手術中に、手術部位の吸引において使用するための吸引ワンドであって、
ハンドルと、
少なくとも部分的に前記ハンドルに配置された吸引導管であって、部分的に吸引経路を画定する吸引導管と、
前記吸引導管の端部の吸引先端であって、前記吸引経路は、前記吸引先端から前記ハンドルを通って延在し、前記吸引導管は、前記吸引先端から遠隔の前記吸引経路の真空源端において真空源と連通するように適合されている、吸引先端と、
骨破片を保持するためのフィルタスクリーンであって、前記吸引経路に配置され、先端方向に面する第１の側と、真空源方向に面する反対の第２の側とを有するフィルタスクリーンと、
ガス源と流体連通するように適合されたＣＯ２ガス導管であって、少なくとも部分的に前記ハンドルに配置され、部分的にＣＯ２経路を画定し、前記ＣＯ２ガス導管は、ＣＯ２ガス主要導管区分を含み、ＣＯ２ガスは、前記ＣＯ２ガス主要導管区分を流動し、前記先端に向かう方向に前記吸引導管の中へ移動され、その結果、前記ＣＯ２ガスが、前記真空方向に面する前記第２の側から前記先端方向に、前記先端方向に面する前記フィルタスクリーンの前記第１の側の外へ、前記フィルタスクリーンを通過することにより、前記フィルタの第１の側から破片を排出する、ＣＯ２ガス導管と、
前記吸引導管の内部の中に延在するＣＯ２ガス導管延長部であって、ＣＯ２ガスを、直接前記吸引先端に移動させ、前記吸引導管の中心軸は、前記ＣＯ２ガス導管延長部の中心軸と一致し、前記ＣＯ２ガス導管延長部は、前記フィルタスクリーンから約１／４から約３／４離間された先端で終端する、ＣＯ２ガス導管延長部と、
ＣＯ２ガスが、前記ＣＯ２ガス導管を通して、前記吸引先端に向かって前記吸引導管の中へ流動する開放位置と、ＣＯ２ガスが前記吸引導管の中へ流動しない閉鎖位置との間で動作可能なＣＯ２ガス導管弁と
を備える、吸引ワンド。
【発明の詳細な説明】
【技術分野】
【０００１】
（関連出願の引用）
本願は、米国第６１／２５９，１１１号（２００９年１１月６日出願）の非仮出願であり、該出願の全体は、参照により本明細書に引用される。
【０００２】
（発明の分野）
本発明は、概して、外科手術手技において使用するための吸引デバイスに関し、より具体的には、手術部位から破片を除去するための外科手術用吸引デバイスに関する。
【背景技術】
【０００３】
吸引デバイスは、一般に、種々の医療用途において、種々の目的のために、患者から種々の流体を排出するために使用される。例えば、外科手術の際、血液および他の体液が、一般に、除去され、手術部位の視覚検査および流体の廃棄を可能にする。吸引ワンドはまた、正圧（通常、空気または水）の生成を提供し、手術部位に潅注し得る。そのような実施例のうちの１つは、手術部位から破片を吸引するための吸引導管と、潅注流体を手術部位へ移動させるための潅注導管とを示すＬｅｓｔｅｒの特許文献１に開示されている。
【０００４】
Ｐｒｕｓｍａｃｋの特許文献２は、第１のポートを手術部位から破片および流体を除去するための吸引源に接続することによって、負の空気圧力を印加するように構成される、吸引潅注クリーナを開示している。また、第２のポートを正圧源に接続することによって、正の空気／蒸気圧を送達するための潅注／正圧ラインも存在する。正圧流体は、潅注、および代替として、組織または血塊がデバイスに吸引される場合に、デバイスの塞栓を除去するために使用される。Ｐｒｕｓｍａｃｋに開示される装置は、組織および血塊がデバイスを通して弁機構までずっと進行し、デバイスに損傷を及ぼし得るので、理想的ではない。潅注機能は、潅注チャネルを主要流路において移動させるために、栓の旋回およびボタンの操作の両方を必要とするため、複雑である。また、より大きな塞さぐ可能性のある破片が、塞栓除去機能が有効であり得る点を越えて、デバイスにおいて吸引されることを阻止しない。
【０００５】
従来、吸引ワンド（一般に、「吸引先端」と称される）は、金属から加工され、好適な清浄および滅菌後のみ、再使用可能であった。しかしながら、使い捨て外科手術用機器の近年の進歩に伴って、金属吸引ワンドは、プラスチックから加工されるより安価で軽量の使い捨て吸引ワンドシステムに、ほぼ全体的に取って代わられている。
【０００６】
整形外科手術では、吸引ワンドは、手術部位を「乾燥」状態に維持し、組織の可視化を改善を維持するために、かつ手術部位の組織から滲出し得る血液の再注入を可能にする、「Ｃｅｌｌ  Ｓａｖｅｒ（セルセーバ）」またはデバイスの手段を通して失われた血液を回復するために重要である。Ｐｒｕｓｍａｃｋの公開に示されるように、吸引ワンドの最適性能に対する主な障害は、骨小片および他の破片が、吸引ラインに吸引され、事実上、手術部位からの流体の放出を塞さぎ、吸引を阻止する場合に生じる障害である。二次的問題は、外科手術手技の際のワンドを通る比較的高流動の空気であり、これは、ワンドの先端における空気伝搬細菌の堆積につながる可能性がある。また、ワンド先端は、吸引中、流体の放出によって湿潤されるため、ワンドは、その後、正圧が生成されると、手術部位に排出される粉塵または破片を誘引する傾向がある。研究では、吸引ワンドは、外科手術手技の際の最も高い汚染源のうちの１つであり得ることが示されている。
【０００７】
したがって、手術部位から除去される流体の放出を可能にするが、依然として、手術部位の汚染またはデバイスの損傷の恐れなく、オペレータに、デバイスの詰まりを便利に除去または排除する能力を提供する吸引ワンドデバイスの必要性が存在する。本発明はまた、使い捨てプラスチック材料から構築され、かつ清浄目的のために容易に分解することができる、効率的設計をもたらす。
【先行技術文献】
【特許文献】
【０００８】
【特許文献１】米国特許第４，５２６，５７３号明細書
【特許文献２】米国特許出願公開第２００７／０２１３６６７号明細書
【発明の概要】
【課題を解決するための手段】
【０００９】
したがって、要約すると、本発明は、ハンドルと、少なくとも部分的にハンドルに配置され、部分的に吸引経路を画定する吸引導管と、吸引導管の端部における吸引先端とを備える吸引ワンドを対象とする。吸引経路は、吸引先端からハンドルを通して延在し、吸引導管は、吸引先端から遠隔の吸引経路の真空源端部において真空源と連通するように適合される。骨破片を保持するためのフィルタスクリーンであって、吸引経路において配置され、先端方向に面する第１の側と、真空源方向に面する反対の第２の側とを有するフィルタスクリーンが存在する。ガス源と流体連通するために適合され、少なくとも部分的にハンドルにおいて配置され、部分的にＣＯ２経路を画定するＣＯ２ガス導管であって、フィルタの第１の側から破片を排出するために、ＣＯ２ガスが、フィルタスクリーンを通して真空方向に面する第２の側から先端方向に通過し、先端方向に面するフィルタスクリーンの第１の側から出るように、それを通してＣＯ２ガスが流動し、先端に向かう方向に吸引導管内へ移動されるＣＯ２ガス主要導管区分を含むＣＯ２ガス導管が存在する。また、ＣＯ２ガスが、流動し、ＣＯ２ガス導管を通して吸引導管内へと吸引先端に向かって流動する開放位置と、ＣＯ２ガスが吸引導管内へと流動しない閉鎖位置との間で動作可能なＣＯ２ガス導管弁が存在する。
【００１０】
別の側面では、本発明は、吸引ワンドであって、骨破片をもたらす整形外科手術中に、手術部位を吸引する際に使用され、概して、ハンドルと、少なくとも部分的にハンドルにおいて配置され、部分的に吸引経路を画定する吸引導管とを備える吸引ワンドを対象とする。吸引先端は、吸引導管の端部にある。吸引経路は、吸引経路が吸引先端から吸引導管を通して真空源へと延在するように、吸引先端から遠隔の吸引経路の真空源端部において真空源と連通するように適合される。ＣＯ２ガス導管は、ガス源と流体連通するために適合され、少なくとも部分的にハンドルにおいて配置され、部分的にＣＯ２経路を画定する。ＣＯ２ガス導管弁は、ＣＯ２ガスがガス源からＣＯ２導管を通して流動し吸引先端から出る開放位置と、ＣＯ２ガスが吸引先端から流出しない閉鎖位置との間で動作可能である。フィルタスクリーンは、手術の際、生成される骨破片を保持するために、吸引経路において配置される。フィルタスクリーンは、ワイヤメッシュを備え、ワイヤメッシュは、一式の平行水平ワイヤと、水平ワイヤと織られた一式の平行垂直ワイヤとを含むことによってワイヤの間隙を形成する。間隙は、ワンドが吸引モードにある場合に、スクリーン上に骨破片を保持し、ワンドがＣＯ２圧力モードにある場合に、強風のＣＯ２を保持された破片に衝突させ、破片をスクリーンから排出するように定寸および配置される。
【００１１】
他の目的および特徴は、以下において、部分的に明白となり、部分的に指摘されるであろう。
【図面の簡単な説明】
【００１２】
【図１】図１は、本発明の吸引ワンドの斜視図である。
【図２Ａ】図２Ａは、図１の線２Ａ−２Ａの吸引ワンドの断面であって、ハンドルが除去され、閉鎖位置にあるワンドの弁を示す
【図２Ｂ】図２Ｂは、図１の線２Ｂ−２Ｂの吸引ワンドの断面であって、ハンドルが除去され、開放位置における弁を示す。
【図３】図３は、拡大された断片的断面であって、ワンドの吸引導管および正圧導管を示す。
【図４】図４は、吸引ワンドのフィルタスクリーンおよびキャップの拡大正面図である。
【図５】図５は、吸引ワンドの第２の実施形態の概略図である。
【図６】図６は、吸引ワンドの第３の実施形態の概略図である。
【図７】図７は、吸引ワンドの第４の実施形態の概略図である。
【発明を実施するための形態】
【００１３】
図面全体を通して、対応する参照文字は、対応する部品を示す。
【００１４】
例証される実施形態、特に、図１を参照すると、外科手術の際に使用し、手術部位を吸引するための吸引ワンドは、概して、１１に示される。吸引ワンドは、ハンドル１３と、概して、１５に示され、開放と閉鎖位置との間に移動するために、ハンドルにおいて部分的に受け取られる弁とを備える。流入チューブ１７は、ハンドル１３の近位端から近位に延在し、正圧源（図示せず）に取り付けるために構成される。好ましい正圧源は、ＣＯ２タンクである。流入チューブ１７の下方の流出チューブ１９もまた、ハンドル１３の近位端から近位に延在し、負圧または吸引源（図示せず）に取り付けるために構成される。
【００１５】
ハンドル１３の遠位端における搭載部２１（図２Ａ−３）は、コネクタ２３およびヘッド部分２５をハンドルに取り付ける。ヘッド部分２５は、ヘッド部分の開放遠位端または先端２９において配置されるフィルタスクリーン２７を有する、管状部材を備える。キャップ３１は、先端２９においてフィルタスクリーン２７を保持する。キャップ３１は、使用後、フィルタスクリーン２７の交換を可能にするために、可撤性であることができる。以下に詳細に説明されるように、弁１５が、閉鎖位置（図２Ａ）にある場合に、吸引源の作動は、ワンド１１が、外科手術手技において使用される場合に、手術部位を吸引するために、ヘッド部分２５の先端２９において、負圧勾配を生成する。弁１５のアクチュエータ３３の移動は、閉鎖位置から開放位置（図２Ｂ）に弁を移動させ、正圧源からヘッド部分２５の先端２９を通してフィルタスクリーン２７を越えて流体を漏出させ、吸引中にスクリーン上に収集された任意の破片を排出させる。例証される実施形態では、弁１５は、ボール弁である。ハンドル１３、搭載部２１、コネクタ２３、ヘッド部分２５、およびキャップ３１は、プラスチックから形成される。しかしながら、構成要素は、ステンレス鋼等の他の好適な材料から成ることもできる。
【００１６】
図２Ａおよび２Ｂを参照すると、弁筐体３５は、ハンドル１３において配置され、開放と閉鎖位置との間で弁筐体内において旋回運動する弁１５を着座させる。弁筐体３５は、弁筐体内で縦方向に延在し、部分的に弁１５内の開口部３９によって画定される弁通路３７を含む。入口ポート４１は、弁筐体３５の近位端から近位に延在し、流入チューブ１７の遠位端において受け取られ、流入チューブを弁通路３７に流動的に接続する。クランプ４３は、流入チューブ１７を入口ポート４１の周囲に固着する。出口ポート４５は、弁筐体３５の遠位端から遠位に延在し、接続チューブ４７の近位端において受け取られ、接続チューブを弁通路３７に流動的に接続する。クランプ４９は、接続チューブ４７を出口ポート４５の周囲に固着する。接続チューブ４７の遠位端は、搭載部２１の第１の接続ポート５１において受け取られ、接続チューブを搭載部に流動的に接続する。第１の接続ポート５１の下方の搭載部２１の第２の接続ポート５３は、流出チューブ１９の遠位端を受け取り、流出チューブを搭載部に流動的に接続する。例証される実施形態では、接続チューブ４７および流出チューブ１９は、接着剤によって、それぞれ、接続ポート５１、５３において固着される。しかしながら、クランプまたは摩擦嵌め等の他の好適な接続手段も、本発明の範囲内である。また、クランプ４３、４９以外のコネクタも、使用することができる。
【００１７】
第１の搭載ポート５５は、搭載部２１の基部５７から遠位に延在し、コネクタ２３の第１のコネクタポート５９において受け取られ、第１の搭載ポートをコネクタに流動的に接続する。第１の搭載ポート５５の下方の搭載部２１の第２の搭載ポート６１もまた、基部５７から遠位に延在し、コネクタ２３の第２のコネクタポート６３において受け取られ、第２の搭載ポートをコネクタに流動的に接続する。
【００１８】
第１のコネクタポート５９は、コネクタ２３を通して、ヘッド部分２５の中へと、遠位に延在する。第１の搭載ポート５５および第１のコネクタポート５９は、正圧導管を広範に画定する。第２のコネクタポート６３は、ヘッド部分２５内の内部空間６７内へと開放するコネクタ２３内の内部空間６５の中へと開放する。第２の搭載ポート６１、第２のコネクタポート６３、コネクタ内部空間６５、およびヘッド部分内部空間６７は、吸引導管を広範に画定する。吸引導管は、正圧導管の周囲において、ヘッド部分２５の先端２９まで延在する。本実施形態では、吸引導管および正圧導管の縦方向軸は、共通中心軸ＣＡ（図３）上に配置されるように一致する。例証される実施形態では、正圧導管の開放端または先端６９は、以下に詳細に説明される理由から約１／４から約３／４インチ、例えば、約１／２インチ、フィルタスクリーン２７から離間される。一面では、ここでは、ＣＯ２ガス導管である、正圧導管、特に、ＣＯ２ガス導管延長部である導管の区画の中心軸は、少なくとも、吸引先端からハンドルに戻るまでの区画において、吸引導管の中心軸と平行であることが分かる。別の側面では、ここでは、ＣＯ２ガス導管である、正圧導管、特に、ＣＯ２ガス導管延長部である導管の区画の中心軸は、少なくとも、吸引先端からハンドルに戻るまでの区画において、吸引導管の中心軸と一致することが分かる。
【００１９】
図２Ａを参照すると、吸引経路が、一連の矢印によって例証される。吸引経路は、フィルタスクリーン２７の遠位側から、ヘッド部分２５のスクリーンおよび先端２９を越えて、吸引導管を通して吸引源への流出チューブ１９の中へと延在する。吸引ワンド１１が、外科手術手技の際、手術部位を吸引するために使用される場合、ヘッド部分２５の先端２９は、手術部位に隣接して設置され、フィルタスクリーン２７によって許された流体および小粒子は、手術部位から吸引経路に沿って吸引され吸引ワンドから遠隔で収集することができる。流体および破片が、正圧導管に流入するのを防止するために、随意に、格子スクリーン（図示せず）を正圧導管の先端６９を覆って設置することができる。
【００２０】
反対に、正圧経路は、図２Ｂにおいて、一連の矢印によって例証される。正圧経路は、正圧源から流入チューブ１７を通して弁筐体３５の入口ポート４１の中へ、弁通路３７を通して出口ポート４５から接続チューブ５７の中へ、搭載部２１の第１の接続ポート５１を越えて、第１の搭載ポート５５を通して、コネクタ２３の第１のコネクタポート５９の中へ、正圧導管を通して、正圧導管の先端６９からヘッド部分２５の内部空間６７を部分的に通り、ヘッド部分の先端２９からフィルタスクリーン２７を越えて延在する。ポート５５と先端６９との間の導管区画は、直接吸引先端にＣＯ２ガスを移動させるために、吸引導管の内部の中を延在するＣＯ２ガス導管延長部を構成する。示される好ましい実施形態では、ＣＯ２ガス導管延長部は、チューブ４７および１７によって明白であるように、ＣＯ２ガス主要導管区分の内径より小さい内径を有する。手術部位が吸引された後、吸引ワンド１１は、正圧モードで動作され、整形外科手術の場合、フィルタスクリーン２７において捕捉され得るより大きな骨小片等の任意の破片を排出することができる。図３を参照すると、第１のコネクタポート５９の遠位端７１は、約３／３２インチの内径ＩＤを有する。第１のコネクタポート５９の遠位端７１の内径ＩＤは、約１／１６から約１／８インチであることができ、その目的は、以下に詳細に説明される。
【００２１】
図４を参照すると、フィルタスクリーン２７は、開口面積７７を形成する、平行水平ワイヤ７３および平行垂直ワイヤ７５の織りメッシュを備える。ワイヤ７３、７５は、約０．０１インチから約０．０２インチの直径Ｄを有し得る。ワイヤ７３、７５は、平方インチあたり約１２から約３０の開口面積７７が存在するように離間することができる。例証される実施形態では、約２０の開口面積７７が存在する。開口面積７７は、フィルタスクリーン２７の表面積の約４９％から約５４％を占めることができる。フィルタスクリーン２７のワイヤ７３、７５は、開口面積７７が手術部位の吸引の際、破片が吸引導管に流入しないように防止するが、依然として、ワンド１１が正圧送達モードにある場合に、最大出力流を送達するために十分な開口部を提供するように定寸および離間されるよう配置される。好ましい実施形態では、ワイヤ７３、７５は、金属（すなわち、鋼鉄、銅、真鍮、白金）である。しかしながら、ワイヤ７３、７５はまた、プラスチック、ナイロン、または任意の他の好適な材料から成ることができる。
【００２２】
使用場合に、流入チューブ７５は、好ましくは、ＣＯ２タンクを備える、正圧源に接続される。二酸化炭素は、その安全性、外科手術の適合性、および可用性から好ましい。加えて、第１のコネクタポート５９の遠位端７１の比較的に小内径ＩＤ（約３／３２インチ）は、ヘッド部分２５の先端２９において高ガス流を生成する。図３に示されるように、第１のコネクタポート５９の近位端７９は、第１のコネクタポートの遠位端７１の内径ＩＤより大きい内径ＩＤ２を有し、第１のコネクタポートにおいて肩部８１を形成する。典型的には、５０ｐｓｉであるＣＯ２圧力を伴う導管領域におけるこの構成は、ベンチュリの原理に基づき、ヘッド部分２５の先端２９における気流を劇的に増加させる。正圧導管の先端６９とヘッド部分２９の先端２９との間の空間もまた、ヘッド部分の先端における圧力を制御する。正圧導管の先端６９とヘッド部分２５の先端２９との間の移行において生じるパイプ面積の増加は、ヘッド部分先端に認められる圧力を若干減少させるであろう。ワンド１１の先端２９における高空気圧力を保証するための付加的機構は、ホースクランプ（図示せず）によって、流出チューブ１９をクランプ締めすることである。これは、閉鎖圧力系を生成するであろう。
【００２３】
また、正圧導管の縦軸は、吸引導管の縦軸と一致するので、正圧源によって生成されるＣＯ２送風は、ガス流を減速させ得るＣＯ２経路における曲がり角または屈曲点が存在しないことにより、「助走」を得るであろう。直線状のＣＯ２経路はまた、屈曲点における乱流の発生から生じ得るいかなる「デッドスポット」の危険性も低減する。最後に、正圧導管および吸引導管の整列は、ＣＯ２の送風が直接垂直にフィルタスクリーン２７に影響を及ぼすことを確実にする。
【００２４】
本構造から生じる、ＣＯ２の高圧の集束送風は、十分な量のガスは、フィルタスクリーン２７内のいかなる捕捉された破片にも衝突し、破片を排出させるように必要とされる。フィルタスクリーン２７における開口面積７７は、十分な量の空気が捕捉された破片に衝突し、破片をスクリーンから排出することができることを確実にする。平方インチあたり約１２から約３０の範囲の開口面積７７が、ワンド１１を塞栓するための十分に大きい骨小片を保持する一方、依然として、スクリーン２７を通して、強風のＣＯ２を生成し、破片を排出するために十分な開口面積と、通常動作において、所望の吸引を提供するために十分な開口面積とを提供するために好ましい範囲であることが分かっている。
【００２５】
本発明の吸引ワンド１１１の第２の実施形態は、図５に示される。第２の実施形態のワンド１１１は、ハンドル１１３と、開放と閉鎖位置との間で移動可能である、ハンドルにおいて部分的に受け取られる弁１１５とを備える。例証される実施形態では、弁１１５は、ボール弁である。開放位置では、流入チューブ１１７が、正圧源（図示せず）からハンドル１１３内の正圧導管１２１へと、正圧を送達することができる。正圧導管１２１は、ハンドル１１３を通して、ハンドルの遠位端から先端部分１２５へと延在する。フィルタスクリーン１２７が、先端部分１２５の開放遠位端において配置される。ワンド１１１は、約５０ｐｓｉで、先端部分１２５に正圧力を送達するように構成される。
【００２６】
流出チューブ１１９は、ハンドル１１３を通して延在し、ハンドル内の吸引導管１２３に接続する。吸引導管１２３はまた、ハンドル１２３を通してハンドルの遠位端から先端部分１２５へと延在する。正圧導管１２１および吸引導管１２３は、恒久的Ｙ接合部１３１において、ハンドル１１３内で合流する。閉鎖位置では、流出チューブ１１９は、流出チューブと流体連通する吸引源（図示せず）の作動によって、先端部分１２５に負圧勾配を生成することができる。
【００２７】
本発明の吸引ワンド２１１の第３の実施形態は、図６に示される。第３の実施形態は、第２の実施形態と実質的に同一であるが、弁２１５が、吸引導管２２３および正圧導管２２１の両方の圧力の送達を制御するように構成される。弁２１５は、第１の位置では、弁が、正圧導管２２１を閉鎖し、吸引導管２２３を開放するように構成される。第２の位置では、弁２１５は、吸引導管２２３を閉鎖し、正圧導管２２１を開放する。例証される実施形態では、弁２１５は、二重ボール弁である。しかしながら、他の好適な弁も、発明の範囲内で使用することができる。
【００２８】
本発明の吸引ワンド３１１の第４の実施形態は、図７に示される。第４の実施形態のワンド３１１は、正圧源および負圧源それぞれに接続するために適合された流入チューブ３１７および流出チューブ３１９を備える。チューブ３１７、３１９は、その遠位端において、スイッチ３１５に接続される。ホース３２３は、スイッチから延在し、ワンド３１１のハンドル３１３において受け取られる正圧／吸引導管３２１に接続する。ハンドル３１３上のボタン２３２は、流入と流出チューブ３１７、３１９との間でスイッチ３１５を移動させるように押下可能であり、チューブのうちの１つをホース２３２と選択的に連通させる。先端部分３２５は、ハンドル３１３の遠位端から延在し、開放遠位端において配置されるフィルタスクリーン３２７を有する。本実施形態は、同様に、先端部分３２５の開放遠位端において約５０ｐｓｉの正圧力を生成するように構成される。
【００２９】
本発明が詳細に説明されたが、添付の請求項に定義される、本発明の範囲から逸脱することなく、修正および変形例が可能であることは、明白であろう。
【００３０】
本発明またはその好ましい実施形態の要素を導入する際、冠詞「１つ（ａ）」、「１つ（ａｎ）」、「該（ｔｈｅ）」、および「前記（ｓａｉｄ）」は、要素のうちの１つ以上が存在することを意味するように意図される。用語「備える（ｃｏｍｐｒｉｓｉｎｇ）」、「含む（ｉｎｃｌｕｄｉｎｇ）」、および「有する（ｈａｖｉｎｇ）」は、含有を意図し、列挙された要素以外の付加的要素が存在し得ることを意味する。
【００３１】
前述に照らして、本発明のいくつかの目的が、達成され、他の有利な結果も獲得されることが分かるであろう。
【００３２】
本発明の範囲から逸脱することなく、前述の構造において種々の変更が行われ得るため、前述説明に含有され、付随の図面に示される、すべての事象は、限定的意味ではなく、例証として解釈されることができるが意図される。
【図１】
2013509955.tif 000003
【図２Ａ】
2013509955.tif 000004
【図２Ｂ】
2013509955.tif 000005
【図３】
2013509955.tif 000006
【図４】
2013509955.tif 000007
【図５】
2013509955.tif 000008
【図６】
2013509955.tif 000009
【図７】
2013509955.tif 000010
【国際調査報告】
2013509955.tif 000011